【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
光が被検体に照射されることにより前記被検体で発生し、前記被検体と受信手段との間に配置された媒質を伝搬した音響波を受信することにより得られる信号を処理する情報処理装置であって、
注目位置を設定する位置設定手段と、
前記媒質の横波音速情報を用いて、前記信号の中から、前記注目位置で発生し、横波として前記媒質を伝搬した音響波に起因する第１の注目信号を決定し、
前記第１の注目信号を用いて、前記注目位置の被検体情報を取得する取得手段と、
を有する
ことを特徴とする情報処理装置。
【請求項２】
前記被検体を保持する前記媒質としての保持手段を取り付けることを可能に構成された取り付け手段を有する
ことを特徴とする請求項１に記載の情報処理装置。
【請求項３】
前記保持手段の横波音速情報が複数保存された記憶手段を有し、
前記取り付け部は、複数の前記保持手段を取り付けることを可能に構成され、
前記取得手段は、前記取り付け部に取り付けられた前記保持手段に対応する、前記保持手段の横波音速情報を、前記記憶手段から読み出すことにより取得する
ことを特徴とする請求項２に記載の情報処理装置。
【請求項４】
前記取得手段は、
前記媒質の横波音速情報を用いて、前記注目位置で発生し、横波として前記媒質を伝搬した音響波の第１の伝搬時間情報を取得し、
前記第１の伝搬時間情報を用いて、前記信号の中から前記第１の注目信号を決定する
ことを特徴とする請求項１に記載の情報処理装置。
【請求項５】
前記取得手段は、
前記媒質の縦波音速情報を用いて、前記信号の中から、前記注目位置で発生し、縦波として前記媒質を伝搬した音響波に由来する第２の注目信号を決定し、
前記第１の注目信号及び前記第２の注目信号を用いて、前記注目位置の被検体情報を決定する
ことを特徴とする請求項１に記載の情報処理装置。
【請求項６】
前記注目位置で発生し、前記受信手段で受信される音響波の前記媒質への入射角と、臨界角及び当該臨界角よりも大きい仮想の臨界角との大小関係を判定する判定手段を有し、
前記取得手段は、
前記入射角が前記臨界角よりも大きく、かつ、前記仮想の臨界角よりも小さい場合に、前記第１の注目信号及び前記第２の注目信号を用いて、前記注目位置の被検体情報を取得する
ことを特徴とする請求項５に記載の情報処理装置。
【請求項７】
前記取得手段は、前記入射角が前記仮想の臨界角よりも大きい場合に、前記第１の注目信号を用いずに、前記第２の注目信号を用いて、前記注目位置の被検体情報を取得することを特徴とする請求項６に記載の情報処理装置。
【請求項８】
前記取得手段は、前記入射角が前記臨界角よりも小さい場合に、前記第２の注目信号を用いずに、前記第１の注目信号を用いて、前記注目位置の被検体情報を取得する
ことを特徴とする請求項７または８に記載の情報処理装置。
【請求項９】
前記取得手段は、
前記入射角が前記臨界角よりも大きく、かつ、前記仮想の臨界角よりも小さい場合、縦波としての音響波が前記媒質の表面の法線方向に伝搬するものとして前記第１の注目信号を決定し、
前記入射角が前記臨界角よりも小さい場合、縦波としての音響波が前記媒質で屈折するものとして前記第１の注目信号を決定する
ことを特徴とする請求項８に記載の情報処理装置。
【請求項１０】
前記仮想の臨界角を設定する角度設定手段を有し、
前記角度設定手段は、メモリに保存された角度情報を読み出すことにより前記仮想の臨界角を設定する
ことを特徴とする請求項６に記載の情報処理装置。
【請求項１１】
前記仮想の臨界角を設定する角度設定手段を有し、
前記角度設定手段は、前記媒質に対する縦波の透過率及び横波の透過率の情報を取得し、当該情報を用いて前記仮想の臨界角を設定する
ことを特徴とする請求項６に記載の情報処理装置。
【請求項１２】
前記仮想の臨界角を設定する角度設定手段を有し、
前記取得手段は、前記仮想の臨界角に基づいて、被検体情報に関する画像を取得し、
前記角度設定手段は、前記画像の画質情報を取得し、当該画質情報が所定の数値範囲内となるまで前記仮想の臨界角を更新することにより、前記仮想の臨界角を設定する
ことを特徴とする請求項６に記載の情報処理装置。
【請求項１３】
前記仮想の臨界角を設定する角度設定手段を有し、
前記角度設定手段は、前記媒質の縦波の透過率と横波の透過率とが逆転する角度を前記仮想の臨界角として設定する
ことを特徴とする請求項６に記載の情報処理装置。
【請求項１４】
前記仮想の臨界角を設定する角度設定手段を有し、
前記角度設定手段は、ユーザーの指示を示す情報に基づいて、前記仮想の臨界角を設定し、
前記取得手段は、前記仮想の臨界角に基づいて取得された前記被検体情報を表示手段に表示させ、
前記角度設定手段は、前記被検体情報が前記表示手段に表示されている間に受け付けたユーザーの指示を示す情報に基づいて、前記仮想の臨界角を更新する
ことを特徴とする請求項６に記載の情報処理装置。
【請求項１５】
前記取得手段は、
前記第１の注目信号に対して、前記媒質における横波の圧力透過率に基づいた重みづけを行い、
前記第２の注目信号に対して、前記媒質における縦波の圧力透過率に基づいた重みづけを行い、
重みづけされた前記第１及び第２の注目信号を用いて、前記注目位置の被検体情報を取得する
ことを特徴とする請求項５に記載の情報処理装置。
【請求項１６】
ユーザーの指示に基づいて決定された重みに基づいて、前記第１の注目信号及び前記第２の注目信号に対して重みづけを行い、
重みづけされた前記第１及び第２の注目信号を用いて、前記注目位置の被検体情報を取得し、
前記被検体情報が表示手段に表示されている間に受け付けたユーザーの指示を示す情報に基づいて、前記重みを更新する
ことを特徴とする請求項５に記載の情報処理装置。
【請求項１７】
請求項１から１６のいずれか１項に記載の情報処理装置と、
前記被検体に光を照射する光照射手段と、
前記被検体で発生した音響波を受信することにより前記信号を出力する受信手段と、
を有する
ことを特徴とする被検体情報取得装置。
【請求項１８】
光が被検体に照射されることにより前記被検体で発生し、前記被検体と受信手段との間に配置された媒質を伝搬した音響波に起因する信号を取得し、
注目位置を設定し、
前記媒質の横波音速情報を用いて、前記信号の中から、前記注目位置で発生し、横波として前記媒質内を伝搬した音響波に起因する第１の注目信号を決定し、
前記第１の注目信号を用いて、前記注目位置の被検体情報を取得する
ことを特徴とする情報処理方法。
【請求項１９】
前記媒質の横波音速情報を用いて、前記注目位置で発生し、横波として前記媒質を伝搬した音響波の第１の伝搬時間情報を取得し、
前記第１の伝搬時間情報を用いて、前記信号の中から前記第１の注目信号を決定する
ことを特徴とする請求項１８に記載の情報処理方法。
【請求項２０】
前記媒質の縦波音速情報を用いて、前記信号の中から、前記注目位置で発生し、縦波として前記媒質を伝搬した音響波に由来する第２の注目信号を決定し、
前記第１の注目信号及び前記第２の注目信号を用いて、前記注目位置の被検体情報を決定する
ことを特徴とする請求項１８に記載の情報処理方法。
【請求項２１】
前記注目位置で発生し、前記受信手段で受信される音響波の前記媒質への入射角と、臨界角及び当該臨界角よりも大きい仮想の臨界角との大小関係を判定し、
前記入射角が前記臨界角よりも大きく、かつ、前記仮想の臨界角よりも小さい場合に、前記第１の注目信号及び前記第２の注目信号を用いて、前記注目位置の被検体情報を取得する
ことを特徴とする請求項２０に記載の情報処理方法。
【請求項２２】
前記入射角が前記仮想の臨界角よりも大きい場合に、前記第１の注目信号を用いずに、前記第２の注目信号を用いて、前記注目位置の被検体情報を取得することを特徴とする請求項２１に記載の情報処理方法。
【請求項２３】
前記入射角が前記臨界角よりも小さい場合に、前記第２の注目信号を用いずに、前記第１の注目信号を用いて、前記注目位置の被検体情報を取得する
ことを特徴とする請求項２１または２２に記載の情報処理方法。
【請求項２４】
前記入射角が前記臨界角よりも大きく、かつ、前記仮想の臨界角よりも小さい場合、縦波としての音響波が前記媒質の表面の法線方向に伝搬するものとして前記第１の注目信号を決定し、
前記入射角が前記臨界角よりも小さい場合、縦波としての音響波が前記媒質で屈折するものとして前記第１の注目信号を決定する
ことを特徴とする請求項２３に記載の情報処理方法。
【請求項２５】
前記第１の注目信号に対して、前記媒質における横波の圧力透過率に基づいた重みづけを行い、
前記第２の注目信号に対して、前記媒質における縦波の圧力透過率に基づいた重みづけを行い、
重みづけされた前記第１及び第２の注目信号を用いて、前記注目位置の被検体情報を取得する
ことを特徴とする請求項２０に記載の情報処理方法。
【請求項２６】
請求項１８から２５のいずれか１項に記載の情報処理方法をコンピュータに実行させるためのプログラム。
【手続補正２】
【補正対象書類名】明細書
【補正対象項目名】発明の名称
【補正方法】変更
【補正の内容】
【発明の名称】情報処理装置、被検体情報取得装置、情報処理方法、及びプログラム
【手続補正３】
【補正対象書類名】明細書
【補正対象項目名】０００７
【補正方法】変更
【補正の内容】
【０００７】
本発明に係る情報処理装置は、光が被検体に照射されることにより被検体で発生し、被検体と受信手段との間に配置された媒質を伝搬した音響波を受信することにより得られる信号を処理する情報取得装置であって、注目位置を設定する位置設定手段と、媒質の横波音速情報を用いて、信号の中から、注目位置で発生し、横波として媒質を伝搬した音響波に起因する第１の注目信号を決定し、第１の注目信号を用いて、注目位置の被検体情報を取得する取得手段と、を有する。